(57)【要約】【課題】刻印の部分が分割された複数の分割片を揃えて合体して始めて、１個の印鑑として機能する分割式の印鑑を実現し、単一の完成状態の刻印の部分を複数に分割して、それぞれの分割片を別々に保管しておき、使用時にそれぞれの分割片を揃えて合体して始めて一つの印鑑として機能するようにする。【解決手段】単一の完成状態の刻印の部分を複数に分割した構成になっており、それぞれの分割刻印１ａ、１ｂを揃えて合体した状態にして始めて、単一の印鑑として完成し機能するように構成されている。【選択図】          図２
2004243698.tif 000002
【特許請求の範囲】
【請求項１】
単一の完成状態の刻印の部分を複数に分割した構成になっており、それぞれの分割片を揃えて合体した状態にして始めて、単一の印鑑として完成し機能するように構成されていることを特徴とする刻印分割式印鑑。
【発明の詳細な説明】
【０００１】
【産業上の利用分野】
本発明は、刻印の部分が分割された複数の分割片を揃えて合体して始めて、１個の印鑑として機能する分割式の印鑑に関する。
【０００２】
【従来の技術と発明が解決しようとする課題】
例えば、複数人が協同して責任を負う内容の書類に印鑑を押印するような場合には、それぞれの協同責任者の承諾が有って始めて、当該印鑑を押印する必要がある。しかしながら、そのような手続を踏まずに、一部の人だけが、他の協同責任者の承諾を得ないで、勝手に押印することによって、種々のトラブルを招くような事件がまま発生している。
【０００３】このような事故を未然に防止するには、当該印鑑の刻印の部分を、協同責任者の人数分に分割して、それぞれの刻印の分割片をそれぞれの協同責任者が保管しておくと効果的である。そして、それぞれの協同責任者が揃って、それぞれの分割刻印を提供して合体して始めて、１個の印鑑として完成させて押印することができると、前記のようなトラブルを防止できる。
【０００４】これに対し、実開平５−２８６６３  号公報に記載されているように、独立した文字の印字体片を複数用意しておき、それぞれの印字体片を選択的に組み合わせることによって膨大な種類の印字が可能な印鑑が提案されている。
【０００５】しかしながら、この提案は、独立した文字を有する印字体片を組み合わせることによって、膨大な数の組み合わせができるようにしたものであって、単一の刻印の部分を分割して保管できるようにした本発明とは、構成や目的が全く異なる。
【０００６】また、実開昭５８−１３８６５３号公報に記載のように、一端に独立した印字部を有し、側面に連結部を有した担体を複数用意しておいて、それぞれを連結して組み合わせたり、組み合わせを変更したりすることによって、種々の印字内容を印字できるゴム印が提案されている。
【０００７】この場合も、複数の種々の印字部を組み合わせたり、組み合わせを変更することによって、種々の印鑑を実現可能にしたものであって、完成状態の単一の刻印の部分を分割する思想とは全く異なる。
【０００８】したがって、前記のような従来の技術では、本発明のように単一の印鑑を分割して、各分割片を別々に保管しておくことは不可能である。
【０００９】本発明の技術的課題は、このような問題に着目し、単一の完成状態の刻印の部分を複数に分割して、それぞれの分割片を別々に保管しておき、使用時にそれぞれの分割片を集めて合体して始めて一つの印鑑として機能するようにすることにある。
【００１０】
【課題を解決するための手段】
本発明の技術的課題は次のような手段によって解決される。請求項１は、単一の完成状態の刻印の部分を複数に分割した構成になっており、それぞれの分割片を揃えて合体した状態にして始めて、単一の印鑑として完成し機能するように構成されている刻印分割式印鑑である。したがって、分割するのは、刻印の部分だけでも足りる。
【００１１】このように、単一の完成状態の刻印の部分を複数に分割した状態になっており、それぞれの分割片を揃えて合体した状態にして始めて、単一の印鑑として完成し機能するように構成されているため、それぞれの分割片が全部揃わない限り、完成した印鑑として押印できない。したがって、複数の協同責任者が居る場合は、それぞれの分割片をそれぞれの協同責任者が独自に保管しておけば、一部の協同責任者のみで印鑑を勝手に押印するような事故を未然に防止できる。
【００１２】また、預金通帳などのように個人で管理する書類などの場合でも、印鑑が盗用される恐れがあるが、複数に分割して、それぞれ別々の場所に保管しておけば、それぞれの保管場所を発見しない限り、盗用の目的を達成できないことになり、個人の印鑑の危機管理にも適用できる。
【００１３】
【発明の実施の形態】
次に本発明による刻印分割保管式印鑑が実際上どのように具体化されるか実施形態を説明する。図１は通常の印鑑の例であり、図２、図３は本発明による刻印分割保管式印鑑の第一実施形態である。
【００１４】図１は通常の印鑑を例示した斜視図であり、例えば円形をした刻印部１が「金城」という２文字からなる印鑑の例である。２は取っ手部分である。この印鑑に本発明の思想を適用したのが、図２、図３である。本発明によると、図１の刻印部１を図２のように、縦に２分割した構造になっている。
【００１５】すなわち、半円状の刻印部１ａ、１ｂの二つに分割されている。図示例の場合は、縦書きの「金城」という文字を縦に２分割してあるので、「金」という文字も「城」という文字も左右に分割された構造になっている。
【００１６】この印鑑を押印する場合は、それぞれの刻印部１ａ、１ｂの二つを用意し、図３のように分割部１ａ、１ｂ同士を突き合わせて一体に合体する。そして、輪ゴム３、４を巻き付けると、容易に分離することはなく、図１の通常の印鑑と同じ要領で押印に使用できる。
【００１７】このような２分割構造の印鑑の場合は、例えば二人の協同責任者が居る場合、それぞれの刻印部１ａ、１ｂを二人で別々に保管しておけば、二人が刻印部１ａ、１ｂを持ち寄って始めて、押印できることになる。したがって、一人の協同責任者が単独で勝手に押印することは不可能となる。
【００１８】また、全く別のケースとして、金城さんという個人がそれぞれの刻印部１ａ、１ｂを別々の場所に保管しておけば、分割されたそれぞれの刻印部１ａ、１ｂの両方を見つけ出して合体して使用することは極めて困難であるため、他人の印鑑を盗用して重要書類に押印したりするのも防止できる。
【００１９】結婚記念として、新郎新婦がそれぞれの刻印部１ａ、１ｂを保管し、夫婦に共通する書類などに押印したり、誕生した子どもに関する書類などに押印する場合は、合体して押印したりもできる。その結果、押印の度に、夫婦のきずなを再確認したりするのにも有効である。したがって、結婚をシンボライズするのに最適であり、結婚の記念品として好まれることは間違いない。
【００２０】図４、図５は、「金城」という刻印の部分を４分割した実施形態であり、四角い形状の刻印に適用した例である。すなわち、図４のように、「金城」という刻印の部分を５ａ、５ｂ、５ｃ、５ｄの四つに分割してある。各刻印部５ａ、５ｂ、５ｃ、５ｄの背部に延長している部分６ａ、６ｂ、６ｃ、６ｄは、取り扱い時の取っ手部分である。９は組立て用の四角筒であり、４本の刻印付き取っ手部６ａ、６ｂ、６ｃ、６ｄを出し入れする開口７が開いており、背部は、背壁８で閉じられている。
【００２１】使用に際しては、図５のように、四角筒９の中に、４本の刻印付き取っ手部６ａ、６ｂ、６ｃ、６ｄを互いに位置合わせして挿入し、刻印部に「金城」という刻印が形成されるように組み合わせると、「金城」という単一の印鑑が完成し使用可能となる。
【００２２】したがって、４人の協同責任者がそれぞれの刻印部５ａ、５ｂ、５ｃ、５ｄを分担して保管しておけば、一部の協同責任者のみが勝手に押印したりする事故を未然に防止できる。なお、協同責任者それぞれの氏名に対応して、それぞれが保管している分割片の刻印部５ａ、５ｂ、５ｃ、５ｄを押印しておけば、どの分割刻印を誰が保管しているか、容易に判別できる。それぞれの分割片に、各協同責任者に対応した管理者番号や管理者記号、氏名などの識別表示を付しておいてもよい。
【００２３】図４の四角筒９の側壁内面と背壁８の内面にゴムシートなどを貼り付けておけば、側壁内面のゴムシートの弾力が作用し、４本の刻印付き取っ手部６ａ、６ｂ、６ｃ、６ｄ同士が、また４本の刻印付き取っ手部６ａ、６ｂ、６ｃ、６ｄと側壁内面との間が弾力で押しつけられることになる。そのため、各刻印部５ａ、５ｂ、５ｃ、５ｄを一体化するのが簡単確実となり、容易に押印できる。また、各刻印付き取っ手部６ａ、６ｂ、６ｃ、６ｄが四角筒９から容易に脱落することもない。
【００２４】さらに、背壁８の内面に貼り付けられたゴムシートの弾力によって、各刻印付き取っ手部６ａ、６ｂ、６ｃ、６ｄが被押印紙面側に押しつけられるので、押印時に、それぞれの刻印部５ａ、５ｂ、５ｃ、５ｄが確実に被押印紙面に押しつけられることになり、各刻印部５ａ、５ｂ、５ｃ、５ｄを確実に押印できる。
【００２５】なお、四角筒９の前端縁９ａで、印影の枠が形成されるようにしてもよいし、各刻印部５ａ、５ｂ、５ｃ、５ｄに印影の枠となる部分も予め形成しておいてもよい。
【００２６】背壁８には、押し出し孔８ｈを開けてあるため、押印後は、押し出し孔８ｈに指先や細い棒の先端などを挿入して各刻印付き取っ手部６ａ、６ｂ、６ｃ、６ｄの背部を押すと、四角筒９から容易に押し出すことができる。
【００２７】図２、図３の印鑑の場合も、図４、図５の印鑑と同様に、円筒体に挿入して一体に合体してもよいが、図２、図３では、片方の取っ手部２ｂを短めの半円柱状に形成し、他方の取っ手部２ａは、前記の半円柱状部２ｂが入る部分だけ半円柱状に形成しておき、背部側の残余部２ｃは円柱状に形成してある。
【００２８】したがって、使用に際して、右側の半円柱状部２ｂを左側の半円柱状部２ａと突き合わせて、ゴム３、４を巻き付けておけば、背部の取っ手部２ｃを持って分割部１ａ、１ｂを被押印紙面に押しつけるだけで、容易に押印できる。なお、半円柱状部２ａ、２ｂの外周に凹溝を形成して、その中に輪ゴム３、４が入るようにしておくと、輪ゴム３、４の巻き付けがより簡単確実となる。
【００２９】図２、図３の２分割式も図４、図５の４分割式の場合も、刻印部の形状は、円形や四角形以外の任意の形状を採用できることは言うまでもない。刻印部の字数も１文字や３文字以上でもよい。また、２分割や４分割以外の分割数も可能である。図示例の場合は、等分に分割しているが、必ずしも等分に分割する必要はなく、形状やサイズを同等にする必要性も無い。
【００３０】図２、図３の分割片は、刻印部１ａ、１ｂ付きの半円柱状部２ａ、２ｂであり、図４、図５の分割片は、刻印部５ａ、５ｂ、５ｃ、５ｄ付きの取っ手部６ａ、６ｂ、６ｃ、６ｄとなっているが、各分割片の形状や分割方法はこれらに限られない。
【００３１】また、各分割片の組立構造も図示例以外でも可能であり、分割された各分割片を揃えて単一の印鑑として組立て可能であれば良い。例えば、片方の分割片の側部に凹孔を開けておき、他方の分割片には対向する位置に凸部を形成しておいて、互いに嵌合させることで一体に固定される構造にしたり、互いに対向する面に磁石と磁性体を埋め込んでおいて、磁力で吸着するようにするなど、種々の手法が考えられる。
【００３２】
【発明の効果】
請求項１のように、本発明の印鑑は、単一の完成状態の刻印の部分を複数に分割した構成になっており、それぞれの分割片を揃えて合体した状態にして始めて、単一の印鑑として完成し機能するように構成されているため、それぞれの分割片が全部揃わない限り、完成した印鑑として押印できない。したがって、複数の協同責任者が居る場合は、それぞれの分割片をそれぞれの協同責任者が独自に保管しておけば、一部の協同責任者のみで印鑑を勝手に押印するような事故を未然に防止できる。
【００３３】また、預金通帳などのように個人で管理する書類などの場合でも、印鑑が盗用される恐れがあるが、複数に分割して、それぞれ別々の場所に保管しておけば、それぞれの保管場所を発見しない限り、盗用の目的を達成できないことになり、個人の印鑑の危機管理にも適用できる。
【図面の簡単な説明】
【図１】通常の印鑑の例を示す斜視図である。
【図２】本発明による刻印分割保管式印鑑の第一実施形態（２分割式）の分解状態の斜視図である。
【図３】本発明による刻印分割保管式印鑑の第一実施形態（２分割式）の組立て状態の斜視図である。
【図４】本発明による刻印分割保管式印鑑の第二実施形態（４分割式）の分解状態の斜視図である。
【図５】本発明による刻印分割保管式印鑑の第二実施形態（４分割式）の組立て状態の斜視図である。
【符号の説明】
１  刻印部
１ａ・１ｂ  分割刻印部
２  取っ手部
２ａ・２ｂ  半円柱状部
２ｃ  取っ手部
３・４  輪ゴム
５ａ…５ｄ  分割刻印部
６ａ…６ｄ  取っ手部
７  開口
８  背壁
８ｈ  押し出し孔
９  四角筒部
９ａ  前端縁
【図１】
2004243698.tif 000003
【図２】
2004243698.tif 000004
【図３】
2004243698.tif 000005
【図４】
2004243698.tif 000006
【図５】
2004243698.tif 000007